(57)【要約】      （修正有）【課題】リピーター鳴動における周波数変動を最小化するチェーン式リピーターを提供する。【解決手段】リピーター機構５は、時スネール６と、時くちばし部１１を担持しており、待機位置と読み取り位置の間を時軸Ａ１のまわりに回転可能にマウントされている時ラック１０と、時ラックをその読み取り位置に戻す時ばね１９と、プーリーの軸Ａ４まわりに回転可能にマウントされておりスパイラル状の周部カムパスを形成するプーリー３８と、プーリーに部分的に巻かれることができプーリー上と時ラック上にフックされるチェーン４０、及びプーリーと連結しておりプーリーがチェーンを介して時ラックをその待機位置まで引くようにする戻しばね３５とを有する。【選択図】図３
2019113539.tif 000002
【特許請求の範囲】
【請求項１】
ストライク計時器（１）のためのリピーター機構（５）であって、
時スネール（６）と、
時くちばし部（１１）を担持しており、前記時くちばし部（１１）が前記時スネール（６）から角度的に離れている待機位置と前記時くちばし部（１１）が前記時スネール（６）と接触する「読み取り」位置の間を時軸（Ａ１）のまわりに回転可能にマウントされている時ラック（１０）と、
前記時ラック（１０）をその読み取り位置に戻す時ばね（１９）と、
プーリーの軸（Ａ４）のまわりに回転可能にマウントされるプーリー（３８）と、
前記プーリー（３８）に部分的に巻かれることができ、近位端（４１）が前記プーリー（３８）に、そして、遠位端（４２）が前記時ラック（１０）にフックされるチェーン（４０）と、及び
前記プーリー（３８）と連結しており前記プーリー（３８）が前記チェーン（４０）を介して前記時ラック（１０）をその待機位置まで引くようにする戻しばね（３５）と
を有し、
前記プーリー（３８）は、前記プーリーの軸（Ａ４）のまわりにスパイラル状に延在している周部カムパス（３９）を形成している
リピーター機構（５）。
【請求項２】
前記プーリー（３８）と前記チェーン（４０）は一緒に、前記カムパス（３９）上に、接点（Ｍ）を形成し、その接点（Ｍ）のバレル軸（Ａ４）までの距離（Ｌ）は、前記チェーン（４０）の巻きにしたがって小さくなる
請求項１に記載のリピーター機構（５）。
【請求項３】
前記チェーン（３８）の巻きの関数としての前記プーリーの軸（Ａ４）までの距離（Ｌ）の変化は、線形的である
請求項１又は２に記載のリピーター機構（５）。
【請求項４】
前記接点（Ｍ）から前記バレル軸（Ａ４）までの距離（Ｌ）の前記変化は、５〜２０％の割合での変化である
請求項２又は３に記載のリピーター機構（５）。
【請求項５】
プーリーの軸（Ａ４）と一致するバレル軸（Ａ４）を形成しているバレルアーバー（３３）と、
バレルドラム（３４）と、及び
内側端（３６）が前記バレルアーバー（３３）と一体化されており外側端（３７）が前記バレルドラム（３４）と一体化されている前記戻しばね（３５）と
を有するストライク用バレル（３２）を有し、
前記プーリー（３８）が前記戻しばね（３５）に回転可能に連結されている
請求項１〜４のいずれかに記載のリピーター機構（５）。
【請求項６】
請求項１〜５のいずれかに記載のリピーター機構（５）を備える、携行式時計のような計時器（１）。
【発明の詳細な説明】
【技術分野】
【０００１】
本発明は、測時技術の分野に関する。本発明は、より詳細には、ストライク計時器用のリピーター機構に関する。用語「計時器」は、好ましくは、携行式時計（腕時計や懐中時計）を意味しているが、ペンデュラム又は他の時計を意味していることができる。
【背景技術】
【０００２】
リピーター機構（通常単に「リピーター」と呼ばれる）の目的は、任意のときにプッシャーを押すことによってなされるユーザー（又は着用者）の要求に応じて、そのときに計時器の針が示している時刻をストライクすることである。
【０００３】
リピーターは、時計の非常に精巧な複雑機構である。リピーターは、以前は暗いところで時刻をわかるようにするものであったが、現在では高価又は非常に高値な携行式時計に備えられるものである。
【０００４】
リピーターにはいくつかのタイプがある。「Les Montres Compliquees (複雑腕時計へのガイド)」(Ed. Simonin, fifth edition, 2013)という書籍において、著者のF. Lecoultreは、５つのタイプをリストしており、（最も一般的な）以下の２つのタイプについては特別に扱っている。
―  時の他、すべての分を鳴動させるミニッツリピーター
―  時の他、０分からのクオーター（１５分）の数、そして次に、残りの分を鳴動させるクオーターリピーター
【０００５】
前記タイプにかかわらず、ミニッツリピーターは伝統的に以下のものを有する。
―  少なくとも１つの時スネール
―  時くちばし部を担持しており、
−  時くちばし部が時スネールから角度的に離れている待機位置と、
−  時くちばし部が時スネールと接触する「読み取り」位置
の間を時軸のまわりに回転可能にマウントされる少なくとも１つの時ラック
―  時ラックをその読み取り位置に戻す時ばね
―  時ラックに連結しており時ラックをその待機位置に戻すストライク用バレル
である。
【０００６】
ユーザーによる作用がないと、時ラックはその待機位置にある。
【０００７】
プッシャーが変位すると、ストライク用バレルが強制的に回転させられ、時ラック自体が、ばねに対抗するようにして読み取り位置に動く。
【０００８】
プッシャーに対する圧力を放つと、時ラックがその待機位置に戻る。その途において、時ラックは、時ラックによってその２つの位置（読み取り位置、待機位置）の間をトラベルした角距離に比例する、スネール上で「読み取られた」時間の数と等しい回数ゴングをストライクするハンマーと（直接又は間接的に）係合する。
【０００９】
いわゆる古典的なリピーター機構において、前記のF. Lecoultreの文献（６８〜６９ページと図９、プレート１７）にて説明されているように、時ラックに対するバレルの連結は、レバーとチェーンによって達成される。
【００１０】
現代のリピーターでは、同様に前記のF. Lecoultreの文献（７３〜７４ページ）にて説明されているように、この連結は、リピート用ラックと車列によって置き換えられている。反対側にある以下の２つのばねが設けられる。すなわち、時ラックを待機位置へと駆動するメインばねと、時ラックを読み取り位置へと駆動する時ばねである。メインばねを巻くことによってユーザーがバレルを発動させると、時ラックをその読み取り位置に戻す時ばねがリリースされる。バレルをリリースすると、反対に、時が鳴らされている間に、メインばねをリリースし、このメインばねは、（時ばねに対抗するように）時ラックをその待機位置に戻す。
【００１１】
最近、Breguetの腕時計モデル7087の「Tradition」に取り付けられている新しいリピーター機構が提案されている。これには、車列の代わりに、チェーントランスミッションがある。
【００１２】
このトランスミッションは、前記の古典的なリピーター機構のチェーンと混同すべきではない。別の方法で動作するからである。
【００１３】
より詳細には、このリピーターにおいて、バレルは、以下のものを有する。
−  バレルアーバー
−  バレルドラム
−  内側端がバレルアーバーと一体化されており外側端がバレルドラムと一体化されているメインばね
−  バレルアーバーに回転可能に連結しておりチェーンが巻かれるプーリー
【００１４】
チェーンは、近位端がプーリーに、遠位端が時ラックに、フックされている。プッシャーに対するユーザーによる作用がないと、メインばねは、チェーンを張り、このことによって、時ラックをその待機位置に保持する。プッシャーに対するユーザーによる作用によって、バレルアーバーの強制的な回転が発生する。これがチェーンをリリースし、したがって、時ラックをリリースする。この時ラックは、その読み取り位置に時ばねによって戻される。
【００１５】
ユーザーがプッシャーをリリースすると、時ばねが時ラックに与える抵抗性トルクよりも大きな駆動トルクをバレルアーバーに与えるメインばねは、時ラックをその待機位置に戻す。その途において、時がストライクされる。
【００１６】
クオーターと分の読み取り（と鳴動）は、同じ原理に従い、クオータースネール（又は分スネール）とクオーターラック（又は分ラック）が、読み取り位置でクオータースネール（又は分スネール）と接触することができるクオーターくちばし部（又は分くちばし部）を担持している。
【００１７】
この機構は、コンパクトさとアセンブリーの点から有利である。実際に、バレルと時ラックの間の機械的な接続を形成するチェーンによって、これらの部品を互いから遠ざけるように配置することができる。したがって、ケースミドル部内の時ラックの位置にかかわらず、バレルをプッシャーの非常に近くに配置することができ、このことによって、複雑な中間車やレバーを用いる必要性をなくすことができ、このことは、携行式時計の信頼性に貢献する。
【００１８】
しかし、この機構のストライク機能において、鳴動の周波数がわずかに変化することには留意すべきである。これらの変化を部分的にオフセットするレギュレーターをこの機構に設けることが知られている。しかし、正確な測定によって、レギュレーターにもかかわらず、鳴動の周波数が完全には一定とならないことがわかっている。
【発明の概要】
【発明が解決しようとする課題】
【００１９】
したがって、第１の目的は、チェーン式リピーター機構において、リピーター鳴動における周波数変動をさらに最小化することである。
【００２０】
第２の目的は、より詳細には、チェーンに与えられる力の変化を最小化することである。
【課題を解決するための手段】
【００２１】
このために、第１に、ストライク計時器のためのリピーター機構を提案する。これは、
時スネールと、
時くちばし部を担持しており、前記時くちばし部が前記時スネールから角度的に離れている待機位置と前記時くちばし部が前記時スネールと接触する「読み取り」位置の間を時軸のまわりに回転可能にマウントされている時ラックと、
前記時ラックをその読み取り位置に戻す時ばねと、
プーリーの軸のまわりに回転可能にマウントされ前記軸のまわりにスパイラル状に延在する周部カムパスを定めるプーリーと、
前記プーリーに部分的に巻かれることができ、近位端が前記プーリーに遠位端が前記時ラックにフックされるチェーンと、及び
おり前記プーリーが前記チェーンを介して前記時ラックをその待機位置まで引くようにする戻しばねと
を有する。
【００２２】
カムパスによって、バレルアーバー上のメインばねによって発生する駆動トルクの変化をオフセットすることができ、これによって、プーリーによってチェーンに発生する牽引力の変化を最小化することができる。このことによって、ストライク機能の間の鳴動が非常に規則的な周波数となる。
【００２３】
単独で又は組み合わさって、様々な付加的な特徴がある。
【００２４】
したがって、例えば、プーリーとチェーンは一緒に、カムパス上で、バレルアーバーへの距離がチェーンが巻かれるにしたがって小さくなるような接点を形成する。この場合、カムパスは、メインばねによって発生する駆動トルクの減少をオフセットさせることができる。
【００２５】
接点からバレルアーバーまでの距離の変化は、好ましくは、５〜２０％の間の割合である。
【００２６】
チェーンの巻きの関数としてのプーリーの軸までの距離の変化は、好ましくは、線形的である。
【００２７】
特定の実施形態によると、リピーター機構は、
プーリーの軸と一致するバレル軸を形成しているバレルアーバーと、
バレルドラムと、及び
内側端が前記バレルアーバーと一体化されており外側端が前記バレルドラムと一体化されている前記戻しばねと
を有するストライク用バレルを有し、前記プーリーが前記戻しばねに回転可能に連結している。
【００２８】
第２に、上記のようなリピーター機構が取り付けられた、携行式時計のような計時器を提案する。
【００２９】
図面を参照しながら１つの実施形態についての以下の説明を読むことによって、本発明の他の特徴及び利点を理解することができるであろう。
【図面の簡単な説明】
【００３０】
【図１】リピーター機構を備える携行式時計を部分的に示している斜視図である。
【図２】リピーター機構のみの拡大斜視図である。
【図３】構造と機構を明確に示すために部分的に切り取られたリピーター機構の斜視図である。
【図４】異なる角から見た図３の機構の斜視図である。
【図５】リピーター機構を示す図３の断面Ｖ−Ｖにおける部分的な断面図である。
【図６】カムパスの形を示す図である。
【図７】太線で示しているチェーンの完全な巻きが戻された位置におけるプーリーを示している図５と同じ平面内の詳細断面図である。
【図８】チェーンとの接点からのプーリーの回転中心における距離の変化を示している図である。
【図９】プーリー上にチェーンが徐々に巻かれる様子を示している図８と同様な図である。
【図１０】プーリー上にチェーンが徐々に巻かれる様子を示している図８と同様な図である。
【図１１】プーリー上にチェーンが徐々に巻かれる様子を示している図８と同様な図である。
【発明を実施するための形態】
【００３１】
図１は、この場合は携行式時計１である、計時器を部分的に示している。携行式時計１は、内部空間３を形成しているケースミドル部２を有する。図示した例において、携行式時計１は、手首に着用されるように設計されており、そのケースミドル部２は、この目的のために、突き出るホーン４を有しており、このホーン４に腕輪（図示せず）が取り付けられるように意図されている。
【００３２】
携行式時計１は、少なくとも時と分を示すように設計されている計時器用ムーブメントを有する。ムーブメントは、ケースミドル部２によって形成される内部空間３内に収容されそこに固定されるように意図されたメインプレートを有する。
【００３３】
ムーブメントには、いくつかのサブアセンブリーにグループ化された様々な機能的部品もある。時、分、そして、秒（該当する場合）の表示以外の機能をサブアセンブリーが有している場合、そのサブアセンブリーは「複雑機構」と呼ばれる。
【００３４】
したがって、図示した計時器（すなわち、携行式時計１）は、ストライク機構を有しており、現在時刻をストライクする目的で、リピーター機構を有している。このリピーター機構は、「リピーター複雑機構」とも呼ばれ、又は単に「リピーター」５と呼ばれる。
【００３５】
リピーター５は、第１に、少なくとも１つの時スネール６を有する。このスネール６は、軸Ａ１上に回転可能にマウントされる。このスネール６は、全体として見ると、スパイラル状であり、そのリム上に、軸Ａ１までの距離が徐々に小さくなっている一連の１２の角区画がある。
【００３６】
時スネール６は、１２の尖っている歯がある時スター７と回転可能に一体化されている。
【００３７】
図２に示している例において、リピーター５は、さらに、軸Ａ２のまわりに回転可能にマウントされたクオータースネール８を有する。クオータースネール８には、滑らかな連結面によって分離されている４つの角区画があり、軸Ａ２までの距離が徐々に小さくなっている。
【００３８】
また、リピーター５は、クオータースネール８と回転可能に一体化された分スネール９を有しており、この分スネール９は、クオータースネール８の連結面の延長にて延在している、滑らかな連結面によって分離された、ノッチが形成されたエッジがある４つのアームを有する。
【００３９】
クオータースネール８は、そのリムの近くに、フィンガーを担持している。このフィンガーは、各回転ごとに、時スター７の歯と噛み合って、１時間の進行に対応する１２分の１回転の分、時スター７を回転させる。
【００４０】
リピーター５は、第２に、軸Ａ３のまわりに回転可能にマウントされており時くちばし部１１を担持している時ラック１０を有する。
【００４１】
時ラック１０は、待機位置と読み取り位置の間を軸Ａ３のまわりに回転可能にマウントされる。
−  待機位置（図５にて実線で示している）においては、時くちばし部１１が時スネール６から角度的に離れている。
−  「読み取り」位置（図５にて点線で示している）においては、時くちばし部１１が時スネール６と接触する。
【００４２】
図２及び図３に示しているように、時ラック１０には、トランスミッション車列１４を介してレギュレーターデバイス（又はレギュレーター）１３と連結している歯付き区画１２がある。図示した例において、レギュレーター１３は、ステーター１６内において回転可能にマウントされたローター１５を有する。
【００４３】
レギュレーター１３は、好ましくは、磁気的なものである。この場合、レギュレーター１３は、ステーター１６内において回転可能にマウントされたローター１５を有する。ローター１５は、ローター１５にマウントされた可動な強磁性の慣性ブロックに与えられる遠心力と、ステーター１６内に収容されたいくつかのペアの磁石によって発生する交番磁場によって誘導される渦電流によって慣性ブロックにおいて発生した逆起電力との間のバランスによってセットされる最大の回転速度を有する。
【００４４】
時ラック１０には、１２の突き出ている歯がある時ラック歯列１８が形成された外側アーム１７がある。時ラック１０がその読み取り位置からその待機位置に戻ると、時ラック歯列１８は、時ハンマー（図示せず）を発動させる。この時ハンマーは、所定の音響周波数に合わせられた時ゴングをストライクする。これは、可能性としては、携行式時計１の構造的部分（例えば、ケースミドル部２）によって増幅される。時ハンマーは、時ラック１０がその読み取り位置からその待機位置まで戻ったときにこの時ハンマーを発動させた時ラック歯列１８の歯数と等しい回数（１〜１２の数）時ゴングをストライクする。
【００４５】
リピーター５は、第４に、時ラック１０をその読み取り位置に戻す時ばね１９を有する。図示した例において、時ばね１９は、スパイラル状のばねである。この時ばね１９は、好ましいことに、内側端２０によって時ラック１０に、また、外側端２１によってメインプレートと一体的なアーバーに固定されている。
【００４６】
リピーター５は、図２に示している例において、クオーターくちばし部２３を担持しているクオーターラック２２を有する。このクオーターラック２２は、以下の待機位置と「読み取り」位置の間を軸Ａ３のまわりに回転可能にマウントされる。
−  待機位置においては、クオーターくちばし部２３がクオータースネール８から角度的に離れている。
−  「読み取り」位置においては、クオーターくちばし部２３がクオータースネール８と接触する。
【００４７】
リピーターは、さらに、図２に示した例において、分くちばし部２５を担持している分ラック２４を有する。この分ラック２４は、以下の待機位置と「読み取り」位置の間を軸Ａ３のまわりに回転可能にマウントされる。
−  待機位置においては、分くちばし部２５が分スネール９から角度的に離れている。
−  「読み取り」位置においては、分くちばし部２５が分スネール９と接触する。
【００４８】
リピーターは、さらに、図２に示した例において、分くちばし部２５を担持している分ラック２４を有している。この分ラック２４は、以下の待機位置と「読み取り」位置の間を軸Ａ３のまわりに回転可能にマウントされる。
−  待機位置においては、分くちばし部２５が分スネール９から角度的に離れている。
−  「読み取り」位置においては、分くちばし部２５が分スネール９と接触する。
【００４９】
リピーター５は、さらに、クオーターラック２２をその読み取り位置に戻すクオーターばね２６と、及び分ラック２４をその読み取り位置に戻す分ばね２７とを有する。
【００５０】
分ラック２４には、外側アーム２８上に、１４の突き出ている歯がある分ラック歯列２９が形成されている。分ラック２４がその読み取り位置からその待機位置に戻ると、分ラック歯列２９は、分ハンマー（図示せず）を発動させる。これは、時ゴングの音響周波数とは異なる所定の音響周波数（例えば、ピッチがより低いもの）に合わせられた分ゴングをストライクする。分ハンマーは、分ラック２４がその読み取り位置からその待機位置まで戻ったときにこの分ハンマーを発動させた分ラック歯列２９の歯数と等しい回数（１〜１４の数）、分ゴングをストライクする。
【００５１】
クオーターラック２２には、外側アーム３０上に、３系統の突き出ている歯列があるクオーターラック歯列３１が形成されている。クオーターラック２２がその読み取り位置からその待機位置に戻ると、クオーターラック歯列３１は、時ハンマーと分ハンマーをほとんど同時に発動させて、近い２つの音のシーケンスを発生させる。時ハンマーと分ハンマーは、クオーターラック２２がその読み取り位置からその待機位置まで戻ったときに、対応するハンマーを発動させたクオーターラック歯列３１の歯列の系統の数と等しい回数（０〜３の数）、対応するゴングをストライクする。
【００５２】
図２に示しているように、同じ軸Ａ３上にて回転可能にマウントされた時ラック１０、クオーターラック２２及び分ラック２４は、互いに対して角度的に間隔が空いており、これによって、軸Ａ３のまわりのそれらの一体的な回転の間に、分、クオーター、時間の順で順次的に読み取りが行われる。しかし、ストライク機能は、時、クオーター、分の逆の順で行われる。
【００５３】
リピーター５は、第５に、ストライク用バレル３２を有する。
【００５４】
ストライク用バレル３２は、軸Ａ４のまわりに回転可能にマウントされる。ストライク用バレル３２は、以下を含むいくつかの部品を有するサブアセンブリーである。
−  バレルアーバー３３
−  バレルドラム３４
−  内側端３６がバレルアーバー３３と一体化されており外側端３７がバレルドラム３４と一体化されているメインばね３５
−  周部カムパス３９を形成しているプーリー３８
【００５５】
バレルアーバー３３とバレルドラム３４は両方とも、バレル軸Ａ４のまわりに回転可能にマウントされる。
【００５６】
プーリー３８は、バレルアーバー３３に回転可能に連結される。プーリー３８は、ここではバレル軸Ａ４と一致している回転軸のまわりに回転するようにマウントされる。
【００５７】
リピーター５は、第６に、プーリー３８に、より詳細には、カムパス３９に、部分的に巻かれることができるチェーン４０を有する。チェーン４０は、近位端４１がプーリー３８に、また、遠位端４２が時ラック１０にフックされる。
【００５８】
チェーン４０には、互いに連接している複数のリンク４３がある。チェーン４０の近位端４１に位置しているリンク４３は、プーリー３８と一体的なピン４４に固定される。チェーン４０の遠位端４２に位置しているリンク４３は、時ラック１０の外側アーム１７と一体的なピン４５に固定される。
【００５９】
図２〜５に示している実施形態によると、リピーター５には、中間ベアリング４６があり、この上をチェーン４０が、ストライク用バレル３２と時ラック１０の間を動く。この中間ベアリング４６は、好ましくは、ローリングベアリング（例えば、ボールベアリング）の形態である。
【００６０】
図２〜４に示しているように、バレルドラム３４は、そのエッジ上に、非対称の歯列がある歯付きリュウズ４７を担持しており、リピーター５は、歯付きリュウズ４７と噛み合うロック用歯止めを有しており、これによって、バレルドラム３４がチェーン４０の巻きの戻し方向に回転することを防ぐ。
【００６１】
図４に示しているように、リピーター５は、第７に、リピート用ラック４９とストライク用車列５１を有する。
−  前記リピート用ラック４９は、固定されたリピート用ラック軸Ａ５のまわりに回転可能にマウントされており、歯付き区画５０が形成されている。
−  ストライク用車列５１は、一方では、リピート用ラック４９と、他方では、バレルアーバー３３と、噛み合っている。
【００６２】
リピート用ラック４９は、フック形である。リピート用ラック４９には、ボア穴５２が形成されており、これによって、リピート用ラック４９がその軸Ａ５上にマウントされる。ボア穴５２の両側にて、リピート用ラック４９には、端部にてボタン５４（図示した例において、このボタン５４は、レバー５３の端部に形成された穴に押し込まれる付加的部品である）を担持しているレバー５３と、歯付き区画５０が形成された曲がりアーム５５とがある。
【００６３】
リピート用ラック４９は、その軸Ａ５のまわりに、待機位置（図４）と完全に巻かれた位置の間を回転可能にマウントされる。
【００６４】
図４に示している実施形態によると、ストライク用車列５１は、リピート用ラック４９と噛み合う入力ピニオン５６と、及びバレルアーバー３３と回転可能に一体化された出力ピニオン５７とを有する。
【００６５】
図示した例において、ストライク用車列５１は、さらに、入力ピニオン５６と回転可能に一体化されており出力ピニオン５７と噛み合っているトランスミッションピニオン５８（図４にて部分的に切り取られている）を有する。
【００６６】
同様に図４に示しているように、リピート用ラック４９に対して、好ましくは、歯付き区画５０の自由端において、端止め５９が設けられる。この端止め５９は、ここでは付加的な押し込まれる部品の形態であり、これは、リピート用ラック４９の完全に巻かれた位置において、入力ピニオン５６に対して固定される。したがって、この入力ピニオン５６は、前記ラックに対するトラベル端の止めを形成している。
【００６７】
図１に示しているように、携行式時計１には、プッシャー６０が設けられている。このプッシャー６０は、非発動位置と発動位置の間をケースミドル部２に対して並進運動するようにマウントされる。
−  非発動位置においては、プッシャー６０がリピート用ラック４９に駆動トルクを与えない
―  発動位置においては、プッシャー６０がボタン５４を介してリピート用ラック４９に対して推進力（図４の左下及び図５の右下にて白い矢印で示した）を与える。この推進力は、ストライク用車列５１を介してバレルアーバー３３を回転駆動する駆動トルクを発生させる。
【００６８】
リピーター５は、フィンガー押しプッシャー６０によって発動される。プッシャー６０は、ボタン５４を押し戻し、これは、レバー５３を介して、リピート用ラック４９をその軸Ａ５のまわりに回転させる。リピート用ラック４９は、その歯付き区画５０の噛み合いを介して、入力ピニオン５６を回転駆動する。この回転は、入力ピニオン５６と一体化されているトランスミッションピニオン５８によって出力ピニオン５７に伝達され、この出力ピニオン５７は、回転するにしたがって、バレルアーバー３３を、それと一体化されたプーリー３８と一緒に（図５における矢印Ｆ１の方向に）駆動する。リピート用ラック４９とこれが駆動する部品は、メインばね３５によって与えられる戻しトルクに対抗するようにして回転することを強いられ、このメインばね３５は、その内側端３６がバレルアーバー３３とともに回転し、その外側端３７が歯付きリュウズ４７と噛み合う歯止め４８によってロックされるバレルドラム３４とともに不動のままである。したがって、リピート用ラック４９の回転にはメインばね３５を巻く効果があることは明らかである。
【００６９】
遠位端側４２にて時ラック１０によって（図５における矢印Ｆ２の方向に）引かれるチェーン４０は、それ自体が時ばね１９によってその読み取り位置まで（図５における矢印Ｆ３の方向に）回転が戻され、プーリー３８における巻きが戻される。
【００７０】
時くちばし部１１が時スネール６と接触している読み取り位置に到達すると、時ラック１０は、止まり、このとき、該当する場合、クオーターラック２２と分ラック２４は、クオーターくちばし部２３と分くちばし部２５がそれぞれクオータースネール８と分スネール９と接触するまで、クオーターばね２６及び分ばね２７によってそれらの読み取り位置に戻されるように、回転を継続することができる。
【００７１】
プッシャー６０をリリースすると、メインばね３５がリリースされる。このメインばね３５の外側端３７は、バレルドラムに固定され続け、内側端３６は、バレルアーバー３３を（矢印Ｆ１の反対方向に）回転駆動し、これとともにプーリー３８を（同じ回転方向に）回転駆動する。メインばね３５によってプーリーに与えられる戻しトルクが、時ばね１９によって時ラック１０に与えられる抵抗性トルクよりも大きい（又ははるかに大きい）ので、プーリー３８は、このプーリー３８のまわりに巻かれているチェーン４０を（矢印Ｆ２とは反対方向に）引き、これとともに時ラック１０をその軸Ａ３のまわりに、時ラック１０がその待機位置に到達するまで（矢印Ｆ３とは反対方向に）回転駆動する。これは、プーリー３８が、中間ベアリング４６に支持されることによって達成され、このことによって、リピーター５がロックされる。
【００７２】
プッシャー６０のリリースを伴う運動の間に、時ラック１０及びクオーターラック２２及び分ラック２４は、（上で説明したように）表示時刻を鳴動させる。
【００７３】
リピーター５には、レギュレーター１３が設けられて、これによって、できるだけ規則的な周波数でストライク機能が実行される。
【００７４】
しかし、レギュレーター１３は十分ではない。なぜなら、メインばね３５によってバレルアーバー３３上に発生する駆動トルク（Ｃで表される）が、巻かれた位置（慣例的に、Ａ＝０である位置）を基準に測定されるプーリー３８の角位置（Ａで表される）の関数として一定ではないからである。以下の説明では、この角位置Ａを「プーリー角」と呼ぶ。
【００７５】
図２〜５に示しているように、チェーン４０には、プーリー３８と中間ベアリング４６の間にある直線区間４０．１と、この直線区間４０．１の延長上にてプーリー３８のまわり（より正確には、カムパス３９のまわり）に巻かれる曲がり区画４０．２とがある。
【００７６】
プーリー３８とチェーン４０は一緒に、カムパス３９上にて、接点Ｍを形成する。この接点Ｍは、チェーン３８の巻きの境界に位置する。
【００７７】
接点Ｍは、チェーン４０がプーリー３８に巻かれ始めるカムパス３９上の点、すなわち、チェーン４０がプーリー３８を離れる点である。このことは、直線区間４０．１と曲がり区画４０．２の間の接合部に接点Ｍが位置することを意味する。プーリー３８の角位置に応じて、カムパス３９上の点Ｍの位置が変わる。
【００７８】
駆動トルクＣは、バレルアーバー３３によってプーリー３８に伝達され、このプーリー３８は、バレル軸Ａ４のまわりに回転可能に連結される。次に、プーリー３８は、メインばね３５が発生する駆動トルクＣに起因する牽引力（Ｔで表される）をはたらかせる。この牽引力Ｔは、直線区間４０．１の方向と同じ方向に接点Ｍに対して与えられる。接点Ｍからバレル軸Ａ４までの距離は、Ｌで表され、「レバーアーム」を呼ばれる。
【００７９】
これらの表記を前提に、以下の伝統的な式によって、牽引力ＴがトルクＣから推定される。
【００８０】
【数１】
2019113539.tif 000003
【００８１】
駆動トルクＣがプーリー角Ａに沿って一定ではなく、このことは、レバーアームＬが一定ならば、プーリー角Ａに沿って牽引力Ｔが一定ではないことを意味している。
【００８２】
これは、カムパス３９の機能である。すなわち、レバーアームＬの長さを変えて、トルクＣの変化をオフセットして、牽引力Ｔの変化を最小化することである。
【００８３】
より詳細には、巻きが戻された位置（図７に示している）から開始してプーリー角Ａが増加するにしたがって駆動トルクＣが次第に減少することが観測された。
【００８４】
このために、カムパス３９がバレル軸Ａ４のまわりにてスパイラル状に延在している。具体的には、レバーアームＬは、チェーン４０の巻き込みにしたがって（すなわち、プーリー角Ａが増加するにしたがって）減少する。すなわち、接点Ｍからバレル軸Ａ４までの距離は、プーリー角Ａの減少関数である。
【００８５】
図８は、（図示した例において角度の目盛りが付けられている横軸上の）プーリー角Ａの関数として（図示した例においてミリメートルの目盛りが付けられている縦軸上に）レバーアームＬの変化を表している曲線を示している。（図８のプーリー３８の巻き込みの戻しに対応する巻きが戻された位置における）プーリー角Ａがゼロであるときに測定される（「初期」）レバーアームは、Ｌｉと表され、（図１１のプーリー３８の完全な巻きに対応する巻かれた位置における）角Ａが最大であるときに測定される（「最終」）レバーアームは、Ｌｆと表される。
【００８６】
レバーアームＬは、好ましくは、５〜２０％の割合が変化する。この変化を小さいと思うかもしれないが、駆動トルクＣの変化をオフセットし、メインばね３５によって戻されるプーリー３８によってチェーン４０に与えられる牽引力Ｔを実質的に一定にするためには十分である。
【００８７】
特定の実施形態において、
【００８８】
【数２】
2019113539.tif 000004
【００８９】
である。
【００９０】
このように、レバーアームＬの変化は、この例において、約１４％あるが、この例には限定されない。ばね３５の性能に依存するからである。
【００９１】
既に言及したように、変形したばねは、変形によって一定のまま維持しない戻しトルクを発生することによって安定な平衡構成に戻る傾向がある。近くで調べてみると、概して、変形の関数としてばねによって発生する戻しトルクの変化は、全体として線形的ではなく、局所的であることがあることがわかる。
【００９２】
したがって、発生するトルク変化が線形的であるような変形の範囲内にばね３５を維持することができる場合、レバーアームＬもプーリー角Ａの関数として直線的に変化するようなプーリー３９を設計することができることは明らかである。すなわち、カムパス３９は、アルキメデススパイラル状である。
【００９３】
したがって、図８に示している例において、プーリー角Ａの関数としてのレバーアームＬの変化は、曲線で表されている。この例において、プーリー角Ａの関数としてレバーアームＬが線形的に変化することがわかる。これは、アルキメデススパイラル状のカムパス３９に対応している。
【００９４】
図面、特に、図６に、カムパス３９の構造の例を示している。この例において、カムパス３９は、振幅が３６０°未満である角区画Ｓにわたって延在している（すなわち、カムパス３９は、バレル軸Ａ４のまわりのプーリー３８の１回転未満の回転にてその機能を行うように構成している）。
【００９５】
レバーアームＬの変化を図６に示しているプーリーに対応している図７〜１０に示している例において、プーリー３８の角トラベルの振幅は約２７０°である。
【００９６】
この構造の利点は既に言及されており、それは以下のとおりである。
―  リピーター鳴動の周波数変動を最小化すること（すなわち、秒当たり又は分当たりの鳴動の数）
―  チェーンにおける力の変化を最小化すること
なお、これには、チェーンにおける機械的疲労を抑えてその寿命を増加させる効果がある。
【００９７】
なお、上記構造体には、本発明の範囲から逸脱せずに、他の実施形態があることができる。
【００９８】
このようにして、バレル３２を、同じ駆動機能を有する別のサブアセンブリーによって置き換えることを思い描くことができる。このようなサブアセンブリーには、例えば、曲がることによってはたらく細長材ばねがあり、この細長材ばねには、プーリー３８が、細長材ばねの曲がる運動をプーリー３８の回転運動に変換する一又は複数の連結部品によって連結される。このような細長材ばねの機能は、メインばね３５の機能と同様である。すなわち、時ラック１０をその待機位置の方にプーリー３８とチェーン４０を介して駆動することである。
【符号の説明】
【００９９】
１  計時器
２  ケースミドル部
５  リピーター機構
６  時スネール
７  時スター
８  クオータースネール
９  分スネール
１０  時ラック
１１  時くちばし部
１３  レギュレーター
１５  ローター
１６  ステーター
１９  時ばね
２２  クオーターラック
３２  ストライク用バレル
３３  バレルアーバー
３４  バレルドラム
３５  戻しばね
３６  内側端
３７  外側端
３８  プーリー
３９  カムパス
４０  チェーン
４１  近位端
４２  遠位端
４６  中間ベアリング
４９  リピート用ラック
５３  レバー
５４  ボタン
【図１】
2019113539.tif 000005
【図２】
2019113539.tif 000006
【図３】
2019113539.tif 000007
【図４】
2019113539.tif 000008
【図５】
2019113539.tif 000009
【図６】
2019113539.tif 000010
【図７】
2019113539.tif 000011
【図８】
2019113539.tif 000012
【図９】
2019113539.tif 000013
【図１０】
2019113539.tif 000014
【図１１】
2019113539.tif 000015